(57)【要約】【課題】非常に小型軽量で装用感に優れ、簡便に小用を足すことが可能で日常的な使い勝手を向上させる。【解決手段】男性用尿漏れ保護サックは、一端に開口部が形成され前記開口部から男性器の陰茎部を装着可能な液不透過性の袋状の本体部と、前記本体部に収容されて液体を吸収保持し得る吸収体と、前記本体部の開口部に一部が接続され前記男性器の陰嚢部に装着可能な第１支持環状部とを備える。【選択図】図１
2018196556.tif 000002
【特許請求の範囲】
【請求項１】
一端に開口部が形成され前記開口部から男性器の陰茎部を装着可能な液不透過性の袋状の本体部と、
前記本体部に収容されて液体を吸収保持し得る吸収体と、
前記本体部の開口部に一部が接続され前記男性器の陰嚢部に装着可能な第１支持環状部とを備えた
ことを特徴とする男性用尿漏れ保護サック。
【請求項２】
前記本体部は、前記開口部に沿って前記男性器の陰茎部に装着可能な第２支持環状部を有する
ことを特徴とする請求項１記載の男性用尿漏れ保護サック。
【請求項３】
前記本体部には、前記男性器の陰茎部を出し入れ可能な前方開口部が形成されている
ことを特徴とする請求項１又は２記載の男性用尿漏れ保護サック。
【請求項４】
前記第１及び第２支持環状部は、
前記本体部の開口部に上下二段に形成され、
前記本体部には、
前記第１及び第２支持環状部同士を一部が繋がった状態で切り離し可能となるように形成された第１切離部と、
前記第２支持環状部の下方に前記前方開口部を形成可能となるように設けられた第２切離部とが形成されている
ことを特徴とする請求項３記載の男性用尿漏れ保護サック。
【請求項５】
前記第１及び第２切離部は、ミシン目により形成されている
ことを特徴とする請求項４記載の男性用尿漏れ保護サック。
【請求項６】
前記第１及び第２支持環状部は、前記本体部の径方向に拡縮自在な伸縮弾性部材を有する
ことを特徴とする請求項２〜５のいずれか１項記載の男性用尿漏れ保護サック。
【請求項７】
前記本体部は、外側に位置する液不透過性シートと内側に位置する液透過性シートとを有し、これらのシートの間に前記吸収体が配置されている
ことを特徴とする請求項１〜６のいずれか１項記載の男性用尿漏れ保護サック。
【発明の詳細な説明】
【技術分野】
【０００１】
本発明は、男性の尿漏れから下着等が汚れることを防ぐ男性用尿漏れ保護サックに関する。
【背景技術】
【０００２】
従来より、男性の尿失禁に対応するものとして、収尿袋（下記特許文献１及び２参照）が用いられている。このような収尿袋は、主な使用目的として、寝たきり状態等の要介護者に使用することが想定されている。このため、装着状態において要介護者が尿意を催して収尿袋を用いずに小用を足す場合には、収尿袋の脱着が必要となり手間が掛かるという問題があった。
【０００３】
この問題に対応すべく、装着状態のまま小用を足すことができるようにした収尿袋（下記特許文献３参照）も知られている。この収尿袋は、本体の表面部に男性器の陰茎部の先端部を引き出すことが可能な前開口部を有し、装着状態のままスラックスやパンツ等の前開きを開けて小用を足すことができるようにしたものである。
【先行技術文献】
【特許文献】
【０００４】
【特許文献１】特開２００２−３６０６２２号公報
【特許文献２】特開２００３−２３５８８４号公報
【特許文献３】特開２００６−１４１８７２号公報
【発明の概要】
【発明が解決しようとする課題】
【０００５】
しかしながら、上記特許文献１〜３に共通した問題として、収尿袋全体のサイズが非常に大きいという点がある。このため、下腹部や陰部の表面を全体的に覆うように収尿袋の本体が身体に当たって装用感が悪くなり、軽い尿失禁等の症状を有する者が外出時も含めて日常的に使うには使い勝手がよくないという問題があった。特に特許文献３に開示された収尿袋では、ズボン等の前開きを開けて小用を足すことを可能にしているが、図４にも示されているように、依然全体のサイズが大きいために外出時の装用や用足しには不向きであることは否めなかった。
【０００６】
本発明は、上述した従来技術による問題点を解消し、非常に小型軽量で装用感に優れ、簡便に小用を足すことが可能で日常的な使い勝手を向上させた男性用尿漏れ保護サックを提供することを目的とする。
【課題を解決するための手段】
【０００７】
本発明に係る男性用尿漏れ保護サックは、一端に開口部が形成され前記開口部から男性器の陰茎部を装着可能な液不透過性の袋状の本体部と、前記本体部に収容されて液体を吸収保持し得る吸収体と、前記本体部の開口部に一部が接続され前記男性器の陰嚢部に装着可能な第１支持環状部とを備えたことを特徴とする。
【０００８】
本発明の一実施形態においては、前記本体部は、前記開口部に沿って前記男性器の陰茎部に装着可能な第２支持環状部を有する。
【０００９】
本発明の他の実施形態においては、前記本体部には、前記男性器の陰茎部を出し入れ可能な前方開口部が形成されている。
【００１０】
本発明の更に他の実施形態においては、前記第１及び第２支持環状部は、前記本体部の開口部に上下二段に形成され、前記本体部には、前記第１及び第２支持環状部同士を一部が繋がった状態で切り離し可能となるように形成された第１切離部と、前記第２支持環状部の下方に前記前方開口部を形成可能となるように設けられた第２切離部とが形成されている。
【００１１】
本発明の更に他の実施形態においては、前記第１及び第２切離部は、ミシン目により形成されている。
【００１２】
本発明の更に他の実施形態においては、前記第１及び第２支持環状部は、前記本体部の径方向に拡縮自在な伸縮弾性部材を有する。
【００１３】
本発明の更に他の実施形態においては、前記本体部は、外側に位置する液不透過性シートと内側に位置する液透過性シートとを有し、これらのシートの間に前記吸収体が配置されている。
【発明の効果】
【００１４】
本発明によれば、非常に小型軽量で装用感に優れ、簡便に小用を足すことが可能で日常的な使い勝手を向上させることができる。
【図面の簡単な説明】
【００１５】
【図１】本発明の一実施形態に係る男性用尿漏れ保護サックの全体を示す斜視図である。
【図２】図１のＡ−Ａ’線断面図である。
【図３】同男性用尿漏れ保護サックの第１使用状態を示す斜視図である。
【図４】同男性用尿漏れ保護サックの第２使用状態を示す斜視図である。
【図５】同男性用尿漏れ保護サックの使用動作を説明するための簡易側面図である。
【図６】同男性用尿漏れ保護サックの変形例を示す斜視図である。
【図７】同男性用尿漏れ保護サックの他の変形例を示す斜視図である。
【図８】同男性用尿漏れ保護サックの更に他の変形例を示す斜視図である。
【発明を実施するための形態】
【００１６】
以下、添付の図面を参照して、本発明の実施の形態に係る男性用尿漏れ保護サックを詳細に説明する。ただし、以下の実施の形態は、各請求項に係る発明を限定するものではなく、また、実施の形態の中で説明されている特徴の組み合わせの全てが発明の解決手段に必須であるとは限らない。
【００１７】
本発明に係る男性用尿漏れ保護サックは、一端に開口部が形成されこの開口部から男性器の陰茎部を装着することができる液不透過性の袋状の本体部と、この本体部に収容されて液体を吸収保持することができる吸収体と、本体部の開口部に一部が接続され男性器の陰嚢部に装着することができる第１支持環状部とを備えて構成される。以下、このように構成される男性用尿漏れ保護サックの具体的な形態を説明する。
【００１８】
図１及び図２に示すように、本発明の一実施形態に係る男性用尿漏れ保護サック（以下、「保護サック」と呼ぶ。）１は、上端に第１開口部２０が形成された液不透過性の袋状の本体部１０を備える。本体部１０は、例えば外側に配置された液不透過性の外側シート１７と、内側に配置された液透過性の内側シート１８とを有し、これらシート１７，１８の間に配置された液体（尿）を吸収保持し得る吸収体１９を収容してなる。
【００１９】
外側シート１７は、例えば合成樹脂製フィルム、不織布、及びこれらを積層したシートなどを用いることが可能である。内側シート１８は、例えば不織布を親水化処理したものを用いることができる。合成樹脂製フィルムとしては、例えば熱可塑性樹脂にフィラーを加えて延伸することで、装用中の蒸れを抑制可能な透湿性を持たせた液不透過性のものや、微細孔を形成したポリエチレンシートなどが挙げられる。不織布としては、例えばポリオレフィン、ポリエステル、ポリエチレン、ポリプロピレン、及びその他の熱可塑性樹脂を原料とする合成繊維からなるものが挙げられる。
【００２０】
また、吸収体１９としては、不織布に高吸水性樹脂（ＳＡＰ）を塗布したＳＡＰシートや、一般的な使い捨ておむつ等の吸水性製品に用いられるものであればいずれも採用することができる。吸収体１９は、好ましくはＳＡＰ含有率の高い薄い吸収体であり、ＳＡＰと綿状パルプを併用したものや、熱融着性繊維を加えたもの等が挙げられる。保護サック１に用いられる吸収体１９は、数回分の軽い尿失禁を吸収保持することができる厚さや面積を有していればよい。なお、本体部１０は、例えばこれら外側シート１７、吸収体１９、内側シート１８を積層したシート材を、袋状となるよう成形加工して形成されており、吸収体１９の尿許容吸収量の範囲内において再使用も可能な強度を備えて形成されている。
【００２１】
本体部１０の第１開口部２０の周り（周壁部分）には、例えば上下二段に形成された第１支持環状部である第１サポート伸縮リング部（以下、「第１リング部」と呼ぶ。）１１と、第２支持環状部である第２サポート伸縮リング部（以下、「第２リング部」と呼ぶ。）１２とが備えられている。これら第１及び第２リング部１１，１２は、例えば本体部１０の上方において、第１開口部２０及び後述する第２開口部２１（図３等参照）を形成するように上下二段に形成されている。なお、第１及び第２リング部１１，１２は、両シート１７，１８の間に配置された伸縮弾性部材であるサポートゴム輪１１ａ，１２ａを有している。サポートゴム輪１１ａ，１２ａは、各リング部１１，１２を、本体部１０の径方向に拡縮自在にする。
【００２２】
一方、本体部１０の第１及び第２リング部１１，１２の間には、第１及び第２リング部１１，１２同士を、後方部において一部が第１連繋部１３ａを介して繋がった状態で切り離し可能となるように形成された第１切離部である第１のミシン目１３が設けられている。また、第２リング部１２の下方には、後述する前方開口部２２（図４等参照）を形成可能となるように第２切離部である第２のミシン目１４が設けられている。なお、第２リング部１２と本体部１０とは、第２のミシン目１４の後方部において第２連繋部１４ａを介して繋がった状態となっている。これら第１及び第２のミシン目１３，１４は、例えば本体部１０の周方向に沿って形成されている。
【００２３】
このように構成された保護サック１は、次のようにして使用される。
まず、装用時には、図３に示すように、第１のミシン目１３を破いて第１リング部１１を第２リング部１２から切り離し、第１連繋部１３ａを中心に後方に折り返す。そして、図５（ａ）に示すように、第１リング部１１を、第１開口部２０の切り離された側から男性器の陰嚢部３１を通すことで、陰嚢部３１の根元３１ａ付近に装着する。これと共に、第２リング部１２を、第１リング部１１が折り返されることで形成された第２開口部２１を通して男性器の陰茎部４１を本体部１０内に挿入することにより、陰茎部４１に装着する。第１及び第２リング部１１，１２は、サポートゴム輪１１ａ，１２ａを有しているため、それぞれ陰嚢部３１の根元３１ａ付近及び陰茎部４１に装用感よく固定される。これにより、保護サック１の装用位置がずれて不快感を伴ったり不便を被るようなことはなく、男性器への保護サック１の装用が完了する。この装用時に軽い尿失禁が起こったとしても、陰茎部４１は本体部１０内に収められているため、吸収体１９が尿を吸い取り外部に漏れることが防止される。
【００２４】
次に、小用を足す時には、図４に示すように、第２のミシン目１４を破いて第２リング部１２を下方の本体部１０から第２連繋部１４ａを残して切り離し、本体部１０の前方に開口する前方開口部２２を形成する。そして、図５（ｂ）に示すように、形成した前方開口部２２から陰茎部４１の先端部が外部に露出するように引き出して、小用を足す。
【００２５】
なお、小用を足した後は、図５（ｃ）に示すように、前方開口部２２から陰茎部４１の先端部が本体部１０の内部に収まるように引き戻して、元の位置に収容する。このとき、前方開口部２２は開口したままの状態となるが、上述したように第１及び第２リング部１１，１２が陰嚢部３１の根元３１ａ付近及び陰茎部４１に装着固定されているため、陰茎部４１の先端部は本体部１０の内部に収まったままの状態を保持することができる。従って、再度軽い尿失禁があったとしても漏れを防ぐことが可能であり、再度小用を足したいときは陰茎部４１の先端部を前方開口部２２から引き出せばよい。
【００２６】
このように、本実施形態の保護サック１は、第１リング部１１を陰嚢部３１の根元３１ａ付近に、第２リング部１２を陰茎部４１にそれぞれ固定して、本体部１０内に陰茎部４１を収容して装用するため、装用中に不用意に外れることはない。また、従来のものと比べて下着からはみ出たり下腹部を全体的に覆ったりすることなく、装用時の嵩張りがほぼほぼないため外部から装用状態を認識することが困難で、小型軽量を実現して優れた装用感を得ることが可能となる。更に、装用状態のまま前方開口部２２を簡単に形成して陰茎部４１の引き出し、引き戻しを行うことができるので、下着を脱いだりする手間なく簡便に小用を数回足すことができ、再使用を含めた日常的な使い勝手を極めて向上させることが可能である。
【００２７】
図６〜図８は、男性用尿漏れ保護サックの変形例をそれぞれ示す斜視図である。なお、図６を含む以降の説明においては、既に説明した実施形態と同一の構成要素に関しては同一の符号を附して重複する説明は割愛する。また、図６〜図８においては、吸収体１９が第２のミシン目１４付近及び前方開口部２２形成箇所を避ける状態で両シート１７，１８間に配置されていることとする。
【００２８】
男性用尿漏れ保護サック１の本体部１０における前方開口部２２は、次のような種々の態様であってもよい。
すなわち、第１の変形例においては、図６（ａ）に示すように、第２のミシン目１４は、本体部１０を前方から見て下向き開放のコの字状に形成されている。この第２のミシン目１４を破くと、図６（ｂ）に示すように、下方にめくれる舌片部２２ａと前方から見て矩形状の前方開口部２２が形成される。
【００２９】
一方、第２の変形例においては、図７（ａ）に示すように、第２のミシン目１４は、本体部１０を前方から見て上向き開放のコの字状に形成されている。この第２のミシン目１４を破くと、図７（ｂ）に示すように、上方にめくれる舌片部２２ａと前方から見て矩形状の前方開口部２２が形成される。
【００３０】
また、第３の変形例においては、図８（ａ）に示すように、第２のミシン目１４は、本体部１０を前方から見てＴ字状に形成されている。この第２のミシン目１４を破くと、図８（ｂ）に示すように、左右斜め下方に拡がる三角片部２２ｂ，２２ｂと前方から見て三角形状の前方開口部２２が形成される。
【００３１】
これら図６〜図８に示す第１〜第３の変形例においては、前方開口部２２の開口面積が大きいため、小用を足すときの本体部１０からの陰茎部４１の先端部の引き出し、引き戻しがより容易になり、利便性を向上させることができる。このような場合においても、小用を数回足す程度の使用には十分耐え得るように吸収体１９や本体部１０の強度が確保されているため、再使用も含めて日常的な使い勝手を極めて高めることができる。
【００３２】
なお、第３の変形例の他に、第２のミシン目１４を、例えば本体部１０を前方から見て逆さＴ字状に形成することで、この第２のミシン目１４を破いた場合に、左右斜め上方に拡がる三角片部と前方から見て逆三角形状の前方開口部２２とが形成されるように、本体部１０を構成するようにしてもよい。
【００３３】
以上、本発明の実施の形態を説明したが、この実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。このような実施の形態やその変形は、発明の範囲や要旨に含まれると共に、特許請求の範囲に記載された発明とその均等の範囲に含まれる。
【００３４】
例えば、上記の実施の形態では、本体部１０が外側シート１７と内側シート１８を備えこれらの間に吸収体１９を配置した構造としたが、より安価に構成するために、例えば内側シート１８を廃して外側シート１７の内側に吸収体１９を直接接着等により配置した構造としてもよい。
【００３５】
また、第１及び第２切離部として第１及び第２のミシン目１３，１４を例に挙げて説明したが、これら切離部は、切り離し行為がなされるまで切り離されない構造を実現するものであれば、スリット等種々の態様が適用可能である。なお、第１及び第２切離部は、第１及び第２のミシン目１３，１４ではなく、最初から切り開かれていてもよい。また、上述した保護サック１の最も簡易な構成としては、例えば第２支持環状部１２及び前方開口部２２を省略し、第１支持環状部１１を陰嚢部３１に装着して本体部１０を支持し、この本体部を陰茎部４１に装着する形態が挙げられる。このような簡単な構成にしても、従来のものと比較して大幅な小型軽量を実現し、装用感を良好にして日常的な使い勝手を向上させることができる。
【符号の説明】
【００３６】
１          男性用尿漏れ保護サック
１０        本体部
１１        第１サポート伸縮リング部
１１ａ      サポートゴム輪
１２        第２サポート伸縮リング部
１２ａ      サポートゴム輪
１３        第１のミシン目
１３ａ      第１連繋部
１４        第２のミシン目
１４ａ      第２連繋部
１７        外側シート
１８        内側シート
１９        吸収体
２０        第１開口部
２１        第２開口部
２２        前方開口部
【図１】
2018196556.tif 000003
【図２】
2018196556.tif 000004
【図３】
2018196556.tif 000005
【図４】
2018196556.tif 000006
【図５】
2018196556.tif 000007
【図６】
2018196556.tif 000008
【図７】
2018196556.tif 000009
【図８】
2018196556.tif 000010